(57)【要約】      （修正有）【課題】主催者及び利用者の利便性を向上させた、画面同期システム、画面同期方法及び画面同期プログラムを提供する。【解決手段】主端末１の画面表示部に表示される主端末同期用画面１ａを、利用者端末２の画面表示部に表示される利用者端末同期用画面２ａに同期させるための画面同期システムであって、参加情報受信部１０と、参加情報管理部２０と、表示情報受信部３０と、画面構成情報作成部４０と、画面構成情報送信部５０とを有する処理サーバ１１０を備える。【選択図】図１
2016115131.tif 000002
【特許請求の範囲】
【請求項１】
主端末の画面表示部に表示される主端末同期用画面を、利用者端末の画面表示部に表示される利用者端末同期用画面に同期させるための画面同期システムであって、
前記利用者端末から送信された参加情報を、回線を介して受信する参加情報受信部と、
前記参加情報受信部が受信した参加情報を管理する参加情報管理部と、
前記主端末から送信された前記主端末同期用画面に表示された表示情報を、前記回線を介して受信する表示情報受信部と、
前記表示情報受信部が受信した表示情報に基づいて、前記利用者端末同期用画面に表示する表示画面の画面構成情報を作成する画面構成情報作成部と、
前記利用者端末に対し、前記画面構成情報作成部が作成した画面構成情報を、前記回線を介して送信する画面構成情報送信部と
を有する処理サーバを備える画面同期システム。
【請求項２】
前記処理サーバは、さらに、
前記利用者端末から送信されたメッセージを、前記回線を介して受信するメッセージ受信部と、
前記主端末に対し、前記メッセージ受信部が受信したメッセージを、前記回線を介して送信するメッセージ送信部と
を有することを特徴とする請求項１に記載の画面同期システム。
【請求項３】
前記主端末同期用画面に表示された表示情報は、資料の表示の情報、及び、該資料の表示に対する操作情報を含むことを特徴とする請求項１または２に記載の画面同期システム。
【請求項４】
前記操作情報は、前記資料のページめくり操作情報、資料の切り替え操作情報、及び、前記資料への書き込み操作情報のうち少なくとも１つを含むことを特徴とする請求項３に記載の画面同期システム。
【請求項５】
前記利用者端末同期用画面は、前記利用者端末の画面表示部の一部に表示されることを特徴とする請求項１〜４のいずれか１項に記載の画面同期システム。
【請求項６】
前記主催者端末同期用画面は、前記主催者端末の画面表示部の一部に表示されることを特徴とする請求項１〜５のいずれか１項に記載の画面同期システム。
【請求項７】
前記主端末は、他の端末に変更可能であることを特徴とする請求項１〜６のいずれか１項に記載の画面同期システム。
【請求項８】
前記参加情報管理部は、前記参加情報受信部が受信した参加情報と、予め準備された参加者リストとを比較し、管理することを特徴とする請求項１〜７のいずれか１項に記載の画面同期システム。
【請求項９】
前記処理サーバは、さらに、
前記利用者端末から入力された情報を受信する入力情報受信部と、
前記入力情報受信部が受信した情報を集計処理する集計処理部と
を有することを特徴とする請求項１〜８のいずれか１項に記載の画面同期システム。
【請求項１０】
前記利用者端末から入力された情報は、前記主端末を操作する主催者に対する評価情報であることを特徴とする請求項９に記載の画面同期システム。
【請求項１１】
前記処理サーバは、さらに、
前記主端末から入力された情報を受信する入力情報受信部と、
前記入力情報受信部が受信した情報を集計処理する集計処理部と
を有することを特徴とする請求項１〜８のいずれか１項に記載の画面同期システム。
【請求項１２】
前記主端末から入力された情報は、前記利用者に対する評価情報であることを特徴とする請求項１１に記載の画面同期システム。
【請求項１３】
前記処理サーバは、さらに、
前記利用者端末から送信される位置情報を受信する位置情報受信部を有することを特徴とする請求項１〜１２のいずれか１項に記載の画面同期システム 。
【請求項１４】
前記回線は、インターネット回線を含むことを特徴とする請求項１〜１３のいずれか１項に記載の画面同期システム。
【請求項１５】
主端末の画面表示部に表示される主端末同期用画面を、利用者端末の画面表示部に表示される利用者端末同期用画面に同期させるための画面同期方法であって、コンピュータが、
前記利用者端末から送信された参加情報を、回線を介して受信する参加情報受信ステップと、
前記参加情報受信ステップにおいて受信した参加情報を管理する参加情報管理ステップと、
前記主端末から送信された前記主端末同期用画面に表示された表示情報を、前記回線を介して受信する表示情報受信ステップと、
前記表示情報受信ステップにおいて受信した表示情報に基づいて、前記利用者端末同期用画面に表示する表示画面の画面構成情報を作成する画面構成情報作成ステップと、
前記利用者端末に対し、前記画面構成作成ステップにおいて作成した画面構成情報を、前記回線を介して送信する画面構成情報送信ステップと
を処理する画面同期方法。
【請求項１６】
主端末の画面表示部に表示される主端末同期用画面を、利用者端末の画面表示部に表示される利用者端末同期用画面に同期させるための画面同期プログラムであって、コンピュータに、
前記利用者端末から送信された参加情報を、回線を介して受信する参加情報受信機能と、
前記参加情報受信機能により受信した参加情報を管理する参加情報管理機能と、
前記主端末から送信された前記主端末同期用画面に表示された表示情報を、前記回線を介して受信する表示情報受信機能と、
前記表示情報受信部が受信した表示情報に基づいて、前記利用者端末同期用画面に表示する表示画面の画面構成情報を作成する画面構成情報作成機能と、
前記利用者端末に対し、前記画面構成情報作成機能により作成した画面構成情報を、前記回線を介して送信する画面構成情報送信機能と
を実現させる画面同期プログラム。
【発明の詳細な説明】
【技術分野】
【０００１】
本発明は、画面同期システム、画面同期方法および画面同期プログラムに関するものであって、特に、利用者端末同期用画面に主端末同期用画面の内容を反映させるための画面同期システム、画面同期方法および画面同期プログラムに関する。
【背景技術】
【０００２】
従来、タブレット型のコンピュータ端末等に資料等をダウンロードし、これら資料を端末の表示画面に表示させて利用する手段や技術が提案されている。
【０００３】
また、利用者が複数の資料を参照したい場合など、端末の表示画面を分割してそれぞれ独立した画面表示をする手法や技術も提案されている。
【０００４】
しかしながら、利用者が端末の操作方法を把握していない等の理由により、必要な時に必要な資料を参照できない場合がある。
【０００５】
そのため、会議等で利用者が資料を参照する機会を逃し、必要な情報を得ることができないまま、会議が進んでしまうという問題があった。
【０００６】
これに対し、特許文献１には、プレゼンターの端末の表示画面で表示されている個所を、利用者の端末の表示画面に同期表示するシステムが開示されている。この技術によれば、利用者は、プレゼンターが示す資料を遅れなく参照することができるが、利用者の端末に対する操作の自由度が低く、改善が望まれていた。
【先行技術文献】
【特許文献】
【０００７】
【特許文献１】特開２０１２−１９８６７５号公報
【発明の概要】
【発明が解決しようとする課題】
【０００８】
本発明は、上記事情に鑑み、主催者および利用者の利便性を向上させた画面同期システム、画面同期方法および画面同期プログラムを提供することを目的とする。
【課題を解決するための手段】
【０００９】
本発明の画面同期システムは、主端末の画面表示部に表示される主端末同期用画面を、利用者端末の画面表示部に表示される利用者端末同期用画面に同期させるための画面同期システムであって、利用者端末から送信された参加情報を、回線を介して受信する参加情報受信部と、参加情報受信部が受信した参加情報を管理する参加情報管理部と、主端末から送信された主端末同期用画面に表示された表示情報を、回線を介して受信する表示情報受信部と、表示情報受信部が受信した表示情報に基づいて、利用者端末同期用画面に表示する表示画面の画面構成情報を作成する画面構成情報作成部と、利用者端末に対し、画面構成情報作成部が作成した画面構成情報を、回線を介して送信する画面構成情報送信部とを有する処理サーバを備えることを特徴とする。
【００１０】
上記処理サーバは、さらに、利用者端末から送信されたメッセージを、回線を介して受信するメッセージ受信部と、主端末に対し、メッセージ受信部が受信したメッセージを、回線を介して送信するメッセージ送信部とを有するのが好ましい。
【００１１】
上記主端末同期用画面に表示された表示情報は、資料の表示の情報、及び、資料の表示に対する操作情報を含むことができる。
【００１２】
上記操作情報は、資料のページめくり操作情報、資料の切り替え操作情報、及び、資料への書き込み操作情報のうち少なくとも１つを含むことができる。
【００１３】
上記利用者端末同期用画面は、利用者端末の画面表示部の一部に表示されるのが好ましい。
【００１４】
上記主催者端末同期用画面は、主催者端末の画面表示部の一部に表示されるのが好ましい。
【００１５】
上記主端末は、他の主端末に変更可能とすることができる。
【００１６】
上記参加情報管理部は、参加情報受信部が受信した参加情報と、予め準備された参加者リストとを比較し、管理するのが好ましい。
【００１７】
上記処理サーバは、さらに、利用者端末から入力された情報を受信する入力情報受信部と、入力情報受信部が受信した情報を集計処理する集計処理部とを有するのが好ましい。
【００１８】
上記利用者端末から入力された情報は、主端末を操作する主催者に対する評価情報とすることができる。
【００１９】
上記処理サーバは、さらに、主端末から入力された情報を受信する入力情報受信部と、入力情報受信部が受信した情報を集計処理する集計処理部とを有するのが好ましい。
【００２０】
上記主端末から入力された情報は、利用者に対する評価情報とすることができる。
【００２１】
上記処理サーバは、さらに、利用者端末から送信される位置情報を受信する位置情報受信部を有するのが好ましい。
【００２２】
上記回線は、インターネット回線を含むことができる。
【００２３】
本発明の画面同期方法は、主端末の画面表示部に表示される主端末同期用画面を、利用者端末の画面表示部に表示される利用者端末同期用画面に同期させるための画面同期方法であって、コンピュータが、利用者端末から送信された参加情報を、回線を介して受信する参加情報受信ステップと、参加情報受信ステップにおいて受信した参加情報を管理する参加情報管理ステップと、主端末から送信された主端末同期用画面に表示された表示情報を、回線を介して受信する表示情報受信ステップと、表示情報受信ステップにおいて受信した表示情報に基づいて、利用者端末同期用画面に表示する表示画面の画面構成情報を作成する画面構成情報作成ステップと、利用者端末に対し、画面構成作成ステップにおいて作成した画面構成情報を、回線を介して送信する画面構成情報送信ステップとを処理することを特徴とする。
【００２４】
本発明の画面同期プログラムは、主端末の画面表示部に表示される主端末同期用画面を、利用者端末の画面表示部に表示される利用者端末同期用画面に同期させるための画面同期プログラムであって、コンピュータに、利用者端末から送信された参加情報を、回線を介して受信する参加情報受信機能と、参加情報受信機能により受信した参加情報を管理する参加情報管理機能と、主端末から送信された主端末同期用画面に表示された表示情報を、回線を介して受信する表示情報受信機能と、表示情報受信部が受信した表示情報に基づいて、利用者端末同期用画面に表示する表示画面の画面構成情報を作成する画面構成情報作成機能と、利用者端末に対し、画面構成情報作成機能により作成した画面構成情報を、回線を介して送信する画面構成情報送信機能とを実現させることを特徴とする。
【発明の効果】
【００２５】
本発明の画面同期システム、画面同期方法および画面同期プログラムによれば、主端末同期用画面に表示された情報を強制的に利用者端末に対して表示させることを可能としつつ、参加情報管理部が認証した利用者端末同期用画面に利用者端末の画面表示部の一部に表示に表示させることを可能となり、また、利用者のセキュリティの保護を確保するともに、アクセス権の確認と参加状況とを主端末で知ることが可能となる。
【００２６】
また、処理サーバが、利用者端末から送信されたメッセージを回線を介して受信するメッセージ受信部と、主端末に対し、メッセージ受信部が受信したメッセージを、回線を介して送信するメッセージ送信部とを有することにより、主催者は、利用者からのメッセージを確認することができる。
【００２７】
さらに、処理サーバが、利用者端末から入力された情報を受信する入力情報受信部と、入力情報受信部が受信した情報を集計処理する集計処理部とを有することにより、利用者の入力した内容を記憶、集計させることができる。
【００２８】
加えて、処理サーバが、主端末から入力された情報を受信する入力情報受信部と、入力情報受信部が受信した情報を集計処理する集計処理部とを有することにより、主催者の入力した内容を記憶、集計させることができる。
【００２９】
さらに、処理サーバが、利用者端末から送信される位置情報を受信する位置情報受信部を備えることにより、主催者は、利用者の出席状況を知ることができる。
【図面の簡単な説明】
【００３０】
【図１】本発明の第１の実施形態の画面同期システムの構成を示すブロック図
【図２】本発明の第１の実施形態の画面同期システムを説明するための模式図
【図３】本発明の第２の実施形態の画面同期システムの構成を示すブロック図
【図４】本発明の第２の実施形態の画面同期システムを説明するための模式図
【図５】本発明の画面同期方法のフローを示すフロー図
【発明を実施するための形態】
【００３１】
本発明の画面同期システムの実施の形態について、図面を参照しながら説明する。
【００３２】
図１は、本発明の第１の実施形態における画面同期システムの構成を模式的に示すブロック図である。
【００３３】
図１に示すように、本発明の第１の実施形態に係る画面同期システム１００は、主端末１の画面表示部に表示される主端末同期用画面１ａを、利用者端末２の画面表示部に表示される利用者端末同期用画面２ａに同期させるための画面同期システムであって、参加情報受信部１０と、参加情報管理部２０と、表示情報受信部３０と、画面構成情報作成部４０と、画面構成情報送信部５０とを有する処理サーバ１１０を備える。
【００３４】
上記参加情報受信部１０は、利用者端末２から送信された参加情報を、回線を介して受信する。具体的には、参加情報受信部１０は、利用者端末２から送信された、利用者ＩＤ等の参加情報を受信することができる。
【００３５】
上記参加情報管理部２０は、参加情報受信部１０が受信した参加情報を管理する。具体的には、参加情報管理部２０は、参加情報受信部１０が受信した参加情報をメモリ等に記憶し、参加者リストを作成等することができる。
【００３６】
上記表示情報受信部３０は、主端末１から送信された主端末同期用画面１ａに表示された表示情報を、回線を介して受信する。例えば、表示情報受信部３０は、主端末１から送信された主端末同期用画面１ａに表示された、資料等の表示情報を受信することができる。表示情報の詳細については後述する。
【００３７】
上記画面構成情報作成部４０は、表示情報受信部３０が受信した表示情報に基づいて、利用者端末同期用画面２ａに表示する表示画面の画面構成情報を作成する。
【００３８】
上記画面構成情報送信部５０は、利用者端末２に対し、画面構成情報作成部４０が作成した画面構成情報を回線を介して送信する。
【００３９】
例えば、本発明の第１の実施形態の画面同期システムを利用して会議を開催した場合、主催者が、主端末１の画面表示部１ａで資料を参照すると、利用者は、利用者端末２の画面表示部に表示される利用者端末同期用画面２ａ上でリアルタイムに主催者が開いているそのままの表示を見ることができる。
【００４０】
上記主端末１および利用者端末２は、タブレット型のコンピュータとするのが好ましいが、デスクトップ型、ノート型、または、携帯端末型のコンピュータとすることもできる。また、上記主端末１および利用者端末２は、それぞれが複数あっても良い。
【００４１】
上記処理サーバ１１０は、複数のサーバにより構成されることもできる。例えば、同期システム利用終了後に、利用者の履修データを処理するサーバと同期システムの処理サーバとは、別に構成することもできる。
【００４２】
また、上記処理サーバ１１０は、さらに、メッセージ受信部６０と、メッセージ送信部７０とを有するのが好ましい。
【００４３】
上記メッセージ受信部６０は、利用者端末２から送信されたメッセージを回線を介して受信する。
【００４４】
上記メッセージ送信部７０は、主端末１に対し、メッセージ受信部６０が受信したメッセージを、回線を介して送信する。
【００４５】
利用者から質問や発言を行う場合、利用者端末２の画面に表示された質問ボタンを押し、メッセージ受信部６０へ質問等がある旨のメッセージを送信することができる。主催者は、メッセージ送信部７０が送信したメッセージを受付るか、又は、拒否するかの選択することができる。
【００４６】
この時、メモリによってどの利用者がどのような発言をしたかの履歴を残すことができる。
【００４７】
主端末同期用画面１ａに表示された表示情報は、資料の表示の情報、及び、資料の表示に対する操作情報を含むものとすることができる。
【００４８】
さらに、操作情報は、資料のページめくり操作情報、資料の切り替え操作情報、及び資料への書き込み操作情報のうち少なくとも１つを含むものとすることができる。
【００４９】
利用者端末同期用画面２ａは、利用者端末２の画面表示部の一部に表示することができる。複数画面の選択を可能にすることにより、利用者が主端末同期用画面１ａに表示された表示情報を表示させながら、画面表示部の他の部分において他の資料を参照する等することができる。
【００５０】
主催者端末同期用画面１ａは、主催者端末１の画面表示部の一部に表示することができる。複数画面の選択を可能にすることにより、主催者が主端末同期用画面１ａに表示された表示情報を表示させながら、画面表示部の他の部分において利用者からの質問に回答したり、利用者の評価を行なったりすることができる。
【００５１】
主端末１は、他の端末に変更可能である。また、主端末と利用者端末の機能は、適宜入れ替えることができる。
【００５２】
参加情報管理部２０は、参加情報受信部１０が受信した参加情報と、予め準備された参加者リストとを比較し、管理するのが好ましい。参加情報管理部２０は、参加者リストに存在する者のみ、会議等への参加を許可することができる。
【００５３】
本実施形態においては、参加情報管理部２０において利用者の登録をあらかじめ行っておき、利用者が参加をする際に利用者のパスワードを送信すると、参加情報管理部２０で管理をしているデータベースに適合する利用者のみが主端末同期用画面１ａの情報を受信できる。参加すると同時に主端末同期用画面１ａの情報が利用者端末同期用画面２ａに同期される。
【００５４】
参加情報管理部３０における利用者の登録情報は、利用者のパスワードの他、利用者の利用者端末同期用画面２ａを表示する端末のシリアルナンバー、Macアドレス、および、過去の通信履歴であってもよい。これにより、利用者を自動的に把握することができる。
【００５５】
処理サーバ１１０は，利用者端末２から入力された情報を受信する入力情報受信部８０と、入力情報受信部８０が受信した情報を集計処理する集計処理部９０とを有するのが好ましい。
【００５６】
主端末１から入力された情報は、利用者に対する評価情報とすることができる。
【００５７】
処理サーバ１１０は、さらに、利用者端末２から送信される位置情報を受信する位置情報受信部９１を備えるのが好ましい。開催地から離れた場所で利用者が同期システムを利用する場合、利用者端末から送信される位置情報を位置情報受信部９１が受信することによって、主催者は、利用者の受信位置を把握することができる。
【００５８】
また、上述した回線は、インターネット回線とすることができる。その他、Ｗｉ−Ｆｉ（登録商標）、Ｂｌｕｅｔｏｏｔｈ（登録商標）等を用いて情報を送受信することも可能である。
【００５９】
アンケート、ミニテストを実施した場合、利用者端末同期用画面２ａを利用者端末２の画面表示部の一部の非同期画面上で回答して、それを入力情報受信部８０が受信する。その回答を集計処理部９０が集計処理し、記憶をして主催者の端末の画面表示部の一部の非同期画面に表示させる。これを主催者が情報として利用者に一度に結果を報告することもできる。
【００６０】
例えば、主催者が特定の利用者のみに連絡を取りたい場合には、主催者端末１の画面表示部の一部の非同期画面上で処理をして、それをメッセージ受信部６０が受信する。その連絡をメッセージ送信部が送信して、利用者端末２の画面表示部の一部の非同期画面に表示させることで、利用者に注意を促すことができる。
【００６１】
会議等終了後、処理サーバは、質問及び発信者リストを出力することができる。また、メモリに記憶されている履修データと照合し、出欠結果を自動的に出力することができる。
【００６２】
以下、第１の実施形態に係る画面同期システムを用いて開催される会議への参加の手順の一例を説明する。
【００６３】
初めに、処理サーバは、主催者による講義の開催日時および場所等の情報の設定を受け付ける。また、その際、講義で使用される資料等も予め保存しておくのが好ましい。これらの情報および資料は、専用のアプリケーションまたはＷＥＢ、メール等を用いて登録されることができる。
【００６４】
続いて、処理サーバは、講義への参加者となる利用者に、開催通知メールを送信する。利用者の数の上限は特に限定されない。この開催通知メールを送信する利用者の情報は、主催者等によって作成され、処理サーバに登録されているのが好ましい。
【００６５】
処理サーバは、利用者に対し、本発明の画面同期システムを利用するための画面同期プログラムを利用者端末にインストールするよう通知を行うのが好ましい。このインストールは、インターネットからダウンロードすることにより行うこともできるし、ＣＤ-ＲＯＭ等の記憶媒体により行うこともできる。
【００６６】
処理サーバは、講義の開催時間に合わせて、利用者があらかじめ登録しておいたパスワード等の入力を受け付ける。
【００６７】
また、主催者が利用者の評価をつけたい場合には、主端末１の画面表示部の一部の非同期画面上で処理をして、それを入力情報受信部８０が受信する。その連絡を集計処理部９０が処理し、メモリによって利用者の履歴を残すことができる。
【００６８】
図２は、本発明の第１の実施形態の画面同期システムの一例を説明するための模式図である。
【００６９】
図２に示すように、本発明の第１の実施形態の画面同期システムによれば、主催者の端末の表示画面の内容を、利用者全員の端末の表示画面に同期させることができる。また、プレゼンターである主催者を会議の途中で交代することができる。加えて、オーディエンスである利用者の出席情報を把握することができ、履修者リストとの消込も可能である。さらに、利用者からの質問がある場合には、どの利用者が質問したのかの履歴を残すこともできる。
【００７０】
続いて、本発明の第２の実施形態における画面同期システムの構成を説明する。
【００７１】
図３に示すように、本発明の第１の実施形態に係る画面同期システム２００は、主端末１の画面表示部に表示される主端末同期用画面１ａを、利用者端末２の画面表示部に表示される利用者端末同期用画面２ａに同期させるための画面同期システムであって、参加情報受信部１０と、参加情報管理部２０と、表示情報受信部３０と、画面構成情報作成部４０と、画面構成情報送信部５０とを有する処理サーバ２１０を備える。
【００７２】
上記参加情報受信部１０は、利用者端末２から送信された参加情報を回線を介して受信する。具体的には、参加情報受信部１０は、利用者端末２から送信された、利用者ＩＤ等の参加情報を、有線または無線のネットワーク回線を介して受信することができる。
【００７３】
上記参加情報管理部２０は、参加情報受信部１０が受信した参加情報を管理する。具体的には、参加情報管理部２０は、参加情報受信部１０が受信した参加情報を、メモリに保存し、参加者リストを作成等することができる。
【００７４】
上記表示情報受信部３０は、主端末１から送信された主端末同期用画面１ａに表示された表示情報を、回線を介して受信する。
【００７５】
上記画面構成情報作成部４０は、表示情報受信部３０が受信した表示情報に基づいて、利用者端末同期用画面２ａに表示する表示画面の画面構成情報を作成する。
【００７６】
上記画面構成情報送信部５０は、利用者端末２に対し、画面構成情報作成部４０が作成した画面構成情報を回線を介して送信する。
【００７７】
例えば、実験から複数のデータを得る場合、各主端末がそれぞれのデータを受信して、処理サーバ２１０が複数のデータ、及び、画像を統合することにより、利用者は、複数のデータを利用者端末２の画面表示部に表示される利用者端末同期用画面２ａ上でリアルタイムに一度に確認することができる。
【００７８】
また、地震発生装置を使用した実験を行う場合には、実験ライブ画像、加速度データ、および、地震波形のような情報を各主端末が情報処理をして、処理サーバ２１０が利用者の端末にすべての情報を一つの画面でリアルタイムに表示することができる。
【００７９】
さらに、ソーラーシステムを使用した情報収集を行う場合には、発電量、設備や施設の異常情報、および、ライブ画像のような情報を各主端末が情報処理をして、処理サーバ２１０が利用者の端末にすべての情報を１画面でリアルタイムに表示することができる。なお、ソーラーシステムを設置する拠点を複数設けることも可能である。
【００８０】
図４は、本発明の第２の実施形態の画面同期システムの一例を説明するための模式図である。
【００８１】
図４に示すように、本発明の第２の実施形態の画面同期システムによれば、主端末の表示画面の内容を、利用者の端末の表示画面に同期させることができる。例えば、地震発生装置を用いた実験を行う場合、加速度データ、地震波形、耐震ラッチ画像および実験ライブ画像を、利用者の画面に１画面に統合して表示することができる。また、この画面を、遠隔環境でリアルタイム表示することもできる。
【００８２】
続いて、本発明の画面同期方法の実施の形態について、図面を参照しながら説明する。
【００８３】
本発明の画面同期方法は、図５に示すように、主端末の画面表示部に表示される主端末同期用画面を、利用者端末の画面表示部に表示される利用者端末同期用画面に同期させるための画面同期方法であって、コンピュータが、参加情報受信ステップ（ｓｔｅｐ１０）と、参加情報管理ステップ（ｓｔｅｐ２０）と、表示情報受信ステップ（ｓｔｅｐ３０）と、画面構成情報作成ステップ（ｓｔｅｐ４０）と、画面構成情報送信ステップ（ｓｔｅｐ５０）とを処理することを特徴とする。
【００８４】
上記参加情報受信ステップ（ｓｔｅｐ１０）は、利用者端末から送信された参加情報を、回線を介して受信する。このステップは、上述した参加情報受信部１０により処理されることができる。
【００８５】
上記参加情報管理ステップ（ｓｔｅｐ２０）は、参加情報受信ステップにおいて受信した参加情報を管理する。このステップは、上述した参加情報管理部２０により処理されることができる。
【００８６】
上記表示情報受信ステップ（ｓｔｅｐ３０）は、主端末から送信された主端末同期用画面に表示された表示情報を、回線を介して受信する。このステップは、上述した表示情報受信部３０により処理されることができる。
【００８７】
上記画面構成情報作成ステップ（ｓｔｅｐ４０）は、表示情報受信ステップにおいて受信した表示情報に基づいて、利用者端末同期用画面に表示する表示画面の画面構成情報を作成する。このステップは、上述した画面構成情報作成部４０により処理されることができる。
【００８８】
上記画面構成情報送信ステップ（ｓｔｅｐ５０）は、利用者端末に対し、画面構成作成ステップにおいて作成した画面構成情報を、回線を介して送信する。このステップは、上述した画面構成情報送信部５０により処理されることができる。
【００８９】
最後に、本発明の画面同期プログラムの実施の形態について、図面を参照しながら説明する。
【００９０】
本発明の画面同期プログラムは、主端末の画面表示部に表示される主端末同期用画面を、利用者端末の画面表示部に表示される利用者端末同期用画面に同期させるための画面同期プログラムであって、コンピュータに、参加情報受信機能と、参加情報管理機能と、表示情報受信機能と、画面構成情報作成機能と、画面構成情報送信機能とを実現させることを特徴とする。
【００９１】
上記参加情報受信機能は、利用者端末から送信された参加情報を、回線を介して受信する。この機能は、上述した参加情報受信部１０により実行されることができる。
【００９２】
上記参加情報管理機能は、参加情報受信機能により受信した参加情報を管理する。この機能は、上述した参加情報管理部２０により実行されることができる。
【００９３】
上記表示情報受信機能は、主端末から送信された主端末同期用画面に表示された表示情報を、回線を介して受信する。この機能は、上述した表示情報受信部３０により実行されることができる。
【００９４】
上記画面構成情報作成機能は、表示情報受信部が受信した表示情報に基づいて、利用者端末同期用画面に表示する表示画面の画面構成情報を作成する。この機能は、上述した画面構成情報作成部４０により実行されることができる。
【００９５】
上記画面構成情報送信機能は、利用者端末に対し、画面構成情報作成機能により作成した画面構成情報を、回線を介して送信する。この機能は、上述した画面構成情報送信部５０により実行されることができる。
【００９６】
上記プログラムは、コンピュータが読み取り可能な記録媒体に記録されて提供することができる。記録媒体としては、ＣＤ−ＲＯＭやＤＶＤ等、コンピュータが読み取り可能なものであれば特に限定されるものではない。
【００９７】
以上、本発明について実施形態を用いて説明したが、本発明の技術的範囲は上記実施の形態に記載の範囲には限定されない。上記実施の形態に、多様な変更、または、改良を加えることが可能であることが明らかである。そのような変更または改良を加えた形態も本発明の技術的範囲に含まれ得ることが特許請求の範囲の記載から明らかである。
【符号の説明】
【００９８】
１        主端末
１ａ      主端末同期用画面
２        利用者端末
２ａ      利用者端末同期用画面
１００    画面同期システム
１１０    処理サーバ
１０      参加情報受信部
２０      参加情報管理部
３０      表示情報受信部
４０      画面構成情報作成部
５０      画面構成情報送信部
６０      メッセージ受信部
７０      メッセージ送信部
８０      入力情報受信部
９０      集計処理部
９１      位置情報受信部
２００    画面同期システム
２１０    処理サーバ
【図１】
2016115131.tif 000003
【図２】
2016115131.tif 000004
【図３】
2016115131.tif 000005
【図４】
2016115131.tif 000006
【図５】
2016115131.tif 000007